(57)【要約】【課題】本発明は、表示パネルの視野角を拡大することができる電子装置用スクリーンモジュールを提供することを目的とする。【解決手段】本発明に係る電子装置用スクリーンモジュールは、ハウジングと、前記ハウジング内にそれぞれ装着される表示パネル及びタッチパネルと、を備える。前記表示パネルは、スクリーンを備え、前記タッチパネルは、前記表示パネルに接触する接触面を有し、前記ハウジングは、互いに対向して設置される２つの側壁を備え、２つの前記側壁の自由端には第一斜面がそれぞれ設けられ、前記タッチパネルにおける前記接触面の両側には、第二斜面がそれぞれ形成され、前記接触面は、前記スクリーンに対応して装着され、２つの前記第二斜面が２つの前記第一斜面と対向して設けられる。【選択図】図４
2014115986.tif 000002
【特許請求の範囲】
【請求項１】
ハウジングと、前記ハウジング内に装着される表示パネル及びタッチパネルと、を備え、
前記表示パネルは、スクリーンを備え、
前記タッチパネルは、前記表示パネルに接触する接触面を有し、
前記ハウジングは、互いに対向して設置された２つの側壁を備え、２つの前記側壁の自由端には第一斜面がそれぞれ設けられ、
前記タッチパネルにおける前記接触面の両側には、第二斜面がそれぞれ形成され、
前記接触面は、前記スクリーンに対応して装着され、
２つの前記第二斜面が２つの前記第一斜面と対向するように設けられることを特徴とする電子装置用スクリーンモジュール。
【請求項２】
前記第一斜面及び前記第二斜面の少なくとも一方側には、光反射層が設けられていることを特徴とする請求項１に記載の電子装置用スクリーンモジュール。
【請求項３】
前記ハウジングは、底板及び前記底板の対向する両端に設けられる２つの端壁をさらに備え、前記２つの側壁は、前記底板に設けられ、且つ前記２つの端壁とそれぞれ連接され、
各側壁の第一斜面は、前記側壁の自由端の一方側の縁から前記底板に向かって斜めに延伸して形成されることを特徴とする請求項２に記載の電子装置用スクリーンモジュール。
【請求項４】
各側壁における前記第一斜面の下部には、係止溝がさらに設けられ、前記表示パネルは、前記スクリーンの周縁を取り囲むように設けられた枠をさらに備え、前記枠の対向する２つの側辺は、各側壁の係止溝内に係合されることを特徴とする請求項３に記載の電子装置用スクリーンモジュール。
【請求項５】
前記タッチパネルは、弧状のタッチ面を有し、前記タッチ面は前記接触面の反対側に設置され、前記接触面のサイズは、前記スクリーンのサイズに等しいことを特徴とする請求項４に記載の電子装置用スクリーンモジュール。
【発明の詳細な説明】
【技術分野】
【０００１】
本発明は、電子装置に用いられるスクリーンモジュールに関するものである。
【背景技術】
【０００２】
現在、多くの携帯式電子装置は、タッチパネルを採用している。より詳細には、従来の携帯式電子装置は、通常、タッチパネルと、表示パネルと、前記表示パネルを収容するためのハウジングと、を備える。しかし、従来の表示パネルの表示エリア外の部分から、前記ハウジングの縁までの距離は大きいため、表示パネルの縁を小さくしなければならない。つまり、表示パネルの表示エリア以外の部分及びハウジングの縁部分を隠して、液晶表示装置が視覚上において、視野角を拡大し、枠が無いように見せることが、現在の課題である。
【発明の概要】
【発明が解決しようとする課題】
【０００３】
以上の問題点に鑑みて、本発明は、表示パネルの視野角を拡大することができる電子装置用スクリーンモジュールを提供することを目的とする。
【課題を解決するための手段】
【０００４】
前記問題を解決するために、本発明に係る電子装置用スクリーンモジュールは、ハウジングと、前記ハウジング内にそれぞれ装着される表示パネル及びタッチパネルと、を備える。前記表示パネルは、スクリーンを備え、前記タッチパネルは、前記表示パネルに接触する接触面を有し、前記ハウジングは、互いに対向して設置された２つの側壁を備え、２つの前記側壁の自由端には第一斜面がそれぞれ設けられ、前記タッチパネルにおける前記接触面の両側には、第二斜面がそれぞれ形成され、前記接触面が前記スクリーンに対応して装着されると、２つの前記第二斜面は２つの前記第一斜面と対向して設置される。
【発明の効果】
【０００５】
従来の技術と異なり、本発明の電子装置用スクリーンモジュールは、タッチパネルにおける表示パネルと接触する面の両側に、第二斜面がそれぞれ設けられている。タッチパネルの第二斜面は、ハウジングの側壁に設けられた第一斜面と組み合せられて取り付けられる。表示パネルが通電されて発光する時に、光線はタッチパネルに照射し、前記光線は、タッチパネルの第二斜面まで照射される。また、前記光線の一部は、第二斜面によりハウジングの両側の第一斜面１２２へ反射される。これにより、表示パネルの両側に位置する第一斜面及び第二斜面は全て一定の明るさを有するようになり、表示パネルの枠及びタッチパネルの枠（即ち、ハウジングの側壁の端面）は見えなくなり、表示パネルは、視野角が拡大され、枠なしの視覚効果を達成することができる。
【図面の簡単な説明】
【０００６】
【図１】本発明の電子装置用スクリーンモジュールの分解図である。
【図２】図１に示す電子装置用スクリーンモジュールのタッチパネルの斜視図である。
【図３】図１に示す電子装置用スクリーンモジュールが一体に組み立てられた後の状態を示す図である。
【図４】図３に示す電子装置用スクリーンモジュールのＩＶ−ＩＶ線に沿った断面図である。
【図５】図４に示す電子装置用スクリーンモジュールの局部の拡大図である。
【発明を実施するための形態】
【０００７】
図１に示すように、本発明に係る電子装置用スクリーンモジュール１００は、ハウジング１０と、表示パネル２０と、タッチパネル３０と、を備える。ハウジング１０は、携帯電話機等の電子装置のハウジングの一部である。表示パネル２０及びタッチパネル３０は、ハウジング１０に装着される。
【０００８】
ハウジング１０は、底板１１と、互いに反対側を向くように設けられた２つの側壁１２と、互いに反対側を向くように設けられた端壁１３と、を備える。２つの側壁１２及び２つの端壁１３は、底板１１の周縁を取り囲むように突設され、且つ２つの側壁１２は２つの端壁１３とそれぞれ連接されている。これにより、ハウジング１０の底板１１の一方側には、矩形の収容空間が形成される。
【０００９】
また、２つの側壁１２の内面には、傾斜部１２０及び傾斜部１２０の下部に位置する係止溝１２１が設けられている。傾斜部１２０は、側壁１２における底板１１から離れた側に位置し、且つ第一斜面１２２を含む。第一斜面１２２は、底板１１に向かって斜めに延伸する。第一斜面１２２の底板１１に対する傾斜角度は、１５度〜７５度の中の何れか１つの角度である。係止溝１２１は、表示パネル２０を固定するために用いられる。
【００１０】
表示パネル２０は、常用のディスプレイのパネルであり、枠２１及びスクリーン（表示画面エリア）２２を備える。枠２１は、スクリーン２２の周縁を取り囲むように設けられている。表示パネル２０をハウジング１０の前記収容空間内に固定する場合、枠２１の背面（つまり、図１を参照した場合底板１１に向かう面）を接着の方式によって底板１１の内面に固定させると共に、枠２１の長手方向に沿う両側の縁をハウジング１０の対応する係止溝１２１内に係合させる。
【００１１】
図２を合せて参照すると、タッチパネル３０は、電気抵抗式タッチパネル或いは静電容量式タッチパネルであり、且つガラスを基板とする。また、タッチパネル３０は、タッチ面３１及び接触面３２を備える。タッチ面３１は、前記ガラス基板から一方側へ突き出ている略弧状の表面である。接触面３２は、前記ガラス基板におけるタッチ面３１の反対側に位置している。接触面３２の長手方向に沿う２つの縁は、それぞれタッチ面３１に向かって下方に傾斜して第二斜面３３を形成する。接触面３２のサイズは、表示パネル２０のスクリーン２２のサイズに一致している。タッチパネル３０をハウジング１０の前記収容空間内に装着した場合、第二斜面３３は第一斜面１２２と向き合うように位置する。
【００１２】
図３及び図４に示すように、表示パネル２０及びタッチパネル３０がハウジング１０の前記収容空間に対応して装着される時、表示パネル２０は、タッチパネル３０と底板１１との間に挟持される。この時、タッチパネル３０の接触面３２は表示パネル２０に接触し、タッチパネル３０の両側の第二斜面３３は、ハウジング１０の両側の第一斜面１２２と互いに当接する。本実施形態において、第一斜面１２２と第二斜面３３との間に透明なコロイドを使用して、両者を一体に固定する。また、第一斜面１２２及び第二斜面３３に対して光反射材料をそれぞれ塗布することによって、両者の光反射効果を高めることができる。
【００１３】
図５に示すように、スクリーンモジュール１００を一体に組み立てた後、第二斜面３３は、表示パネル２０のスクリーン２２に対して下方に傾斜し、第二斜面３３の一端は、スクリーン２２と鈍角を形成するように連接される。第一斜面１２２は、第二斜面３３に対して平行に延在し、且つスクリーン２２と鈍角を形成するように連接される。また、タッチ面３１は、弧状を呈する。スクリーン２２が通電されて発光する時に生成される光線は、タッチパネル３０全体を照らす。この時、表示パネル２０からの光線は、タッチパネル３０の両側の第二斜面３３まで照射された後第二斜面３３により反射されて、一部が第一斜面１２２へ照射する。さらに、前記光線は、第一斜面１２２により反射されて人の目に入る。これにより、視覚上、人の目が感じる輝度は第一斜面１２２が発生した明るさを含む。従って、使用者は正面から表示パネル２０を見た場合、表示パネル２０のサイズはさらに大きくなり、ひいては、タッチパネル３０の両側の第一斜面１２２も表示パネル２０の一部として見える。これにより、電子装置の表示パネル２０は、視野角が拡大され、枠なしの視覚効果を達成することができる。
【００１４】
上記の実施形態から分かるように、本発明の電子装置用スクリーンモジュール１００は、タッチパネル３０における表示パネル２０と接触する面３２の両側に、第二斜面３３がそれぞれ設けられている。タッチパネル３０の第二斜面３３は、ハウジング１０の側壁１２に設けられた第一斜面１２２と組み合せられて取り付けられる。表示パネル２０が通電されて発光する時に、光線はタッチパネル３０に照射し、前記光線は、タッチパネル３０の第二斜面３３まで照射される。また、前記光線の一部は、第二斜面３３によりハウジング１０の両側の第一斜面１２２へ反射される。これにより、表示パネル２０の両側に位置する第一斜面１２２及び第二斜面３３は全て一定の明るさを有するようになり、表示パネル２０の枠２１及びタッチパネル３０の枠（即ち、ハウジング１０の側壁１２の端面）は見えなくなり、表示パネル２０は、視野角が拡大され、枠なしの視覚効果を達成することができる。
【００１５】
以上、本発明の好適な実施形態について詳細に説明したが、本発明は前記実施形態に限定されるものではなく、本発明の範囲内で種々の変形又は修正が可能であり、該変形又は修正も、本発明の特許請求の範囲内に含まれるものであるのは、言うまでもない。
【符号の説明】
【００１６】
１０      ハウジング
１１      底板
１２      側壁
１２０    傾斜部
１２１    係止溝
１２２    第一斜面
１３      端壁
２０      表示パネル
２１      枠
２２      スクリーン
３０      タッチパネル
３１      タッチ面
３２      接触面
３３      第二斜面
１００    スクリーンモジュール
【図１】
2014115986.tif 000003
【図２】
2014115986.tif 000004
【図３】
2014115986.tif 000005
【図４】
2014115986.tif 000006
【図５】
2014115986.tif 000007